(57)【要約】【課題】マガジンの耐久性の向上と軽量化とコストダウンとを同時に達成する。【解決手段】マガジン４の全長に沿って、連結釘５の釘軸部とプッシャ７の板状押圧部の下部とを案内する長溝１４を形成し、該長溝内の釘をプッシャによってノーズ部１に案内供給する釘打機において、上記長溝１４の内側面に、長溝１４内に開口する保持溝１５を形成し、この保持溝のノーズ部１側から中間部とその残りの部分とに、それぞれ上記連結釘５及びマガジン４と同じかそれよりも高い耐摩耗性を有する棒状ガイド部材１６ａと軽量の棒状ガイド部材１６ｂとを上記保持溝１５内に連続して嵌合して固定した。【選択図】図２
2007044827.tif 000002
【特許請求の範囲】
【請求項１】
釘打機本体の釘射出用ノーズ部の一側部に連設されたマガジンの全長に沿って、連結釘の釘軸部とプッシャの板状押圧部の下部とを案内する長溝を形成し、該長溝内の釘をプッシャによって上記ノーズ部に案内供給する釘打機において、
上記長溝の内側面に沿って、長溝内に開口する保持溝を形成し、この保持溝のノーズ部側から中間部とその残りの部分とに、それぞれ上記連結釘及びマガジンと同じかそれよりも高い耐摩耗性を有する棒状ガイド部材と軽量の棒状ガイド部材とを上記保持溝内に連続して嵌合して固定した
ことを特徴とする釘打機のマガジン内の釘及びプッシャのガイド構造。
【発明の詳細な説明】
【技術分野】
【０００１】
本発明は、釘打機のマガジンのガイド通路内の連結釘とこの釘をノーズ部側に押し出すプッシャの移動を案内するガイド構造に関する。
【背景技術】
【０００２】
一般に、釘打機のマガジンは、内部に装填された連結釘をプッシャによってノーズ部側に押圧供給するものであるから、マガジンには、連結釘と連結釘を釘打機のノーズ部側に押圧するプッシャの摺動を案内するガイド通路が形成されている。このガイド通路は連結釘とプッシャの共通の案内手段であるから、連結釘とプッシャは摺動時にガイド通路の内壁面を摺りながら移動することになる。
【０００３】
ところで、マガジンは通常はアルミニウム又はその合金から成り、比較的耐摩耗性、強度等が小さい。これに対し、鉄製の連結釘とプッシャには表面処理が施されている。連結釘の表面処理はコストも低く、強度もそれほど強いものではないが、プッシャは釘送りや釘装填等の度に頻繁に摺動するものであるから、摩耗しにくいように焼き入れ処理を施している。したがって、プッシャの表面の方がガイド溝の表面よりも硬いので、プッシャの摺動が重なることによってガイド通路の表面に傷がついてしまう。この傷が釘送りの抵抗になってしまい、送り不良が発生する原因となっていた。したがって、マガジンにも表面処理を施さざるを得なかった。
【０００４】
そこで、本発明者等は、マガジンに特別高価な表面処理を施さなくても、マガジンのガイド通路の表面に傷がつきにくくすることができるように、マガジンの長手の全長に沿って鉄等の金属製ガイド部材を設ける技術を開発した。
【特許文献１】特開２００１−２７７１４９公報
【発明の開示】
【発明が解決しようとする課題】
【０００５】
しかしながら、マガジンには鉄製の連結釘が装填されるので、それ自体は軽いアルミニウム又はその合金から構成され、できるだけ軽量にすることが望まれているので、ガイド部材が鉄のように重い金属であると全体が重くなってしまうという問題があった。
【０００６】
そこで、さらに詳しく検討したところ、マガジンでも特に強く衝撃から保護すべき部分と比較的保護が要求されない部分とがあることがわかった。つまり、釘打ちこみ時に最もマガジンに衝撃が加わるのは、ノーズ部側から中間部までである。それは打ち込み時の反動によってマガジン内部の連結釘が暴れるという現象が生じ、ノーズ部側から中間部までの部分が最も反動による影響を受け、特に連結釘の釘軸部が激しく動くので、この部分の衝撃が最も強いということがわかった。
【０００７】
そこで、ガイド部材も硬くて高強度で、ノーズ部側から中間部までの長さのものを固定すれば、保護と軽量化を実現することができる。そこで、マガジンにネジ加工し、ここにイモネジで固定する方式が考えられた。
【０００８】
しかしながら、マガジンにネジ加工して十分な強度を出すには、マガジンの肉厚を厚くする必要があり、また、イモネジを使うことになるので、マガジン自体の重量が嵩むことになるほか、コストも高くなってしまう。
【０００９】
本発明は上記問題点を解消し、マガジンの耐久性の向上と軽量化とコストダウンとを同時に達成することができる、釘打機のマガジン内の釘及びプッシャのガイド構造を提供することをその課題とする。
【課題を解決するための手段】
【００１０】
前記課題を解決するため、本発明に係る釘打機のマガジン内の釘及びプッシャの案内構造は、釘打機本体の釘射出用ノーズ部の一側部に連設されたマガジンの全長に沿って、連結釘の釘軸部とプッシャの板状押圧部の下部とを案内する長溝を形成し、該長溝内の釘をプッシャによって上記ノーズ部に案内供給する釘打機において、上記長溝の内側面に沿って、長溝内に開口する保持溝を形成し、この保持溝のノーズ部側から中間部とその残りの部分とに、それぞれ上記連結釘及びマガジンと同じかそれよりも高い耐摩耗性を有する棒状ガイド部材と軽量の棒状ガイド部材とを上記保持溝内に連続して嵌合して固定することを特徴とする。
【発明の効果】
【００１１】
本発明によれば、耐摩耗性の高いガイド部材と軽量なガイド部材とを保持溝内に連続して嵌合したので、上記両ガイド部材は安定して上記保持溝内に保持され、ネジなどの特別な固定手段がなくても固定状態となる。
【００１２】
また、打ち込み時の反動による衝撃が強いノーズ部側の部分には、マガジンや連結釘よりも強度や耐摩耗性が高いガイド部材が配置されているので、釘送りの際の滑りがよく、接触しても傷がつきにくい。したがって、マガジンの長溝は十分にガードされ、長期間使用しても連結釘の送り性能が劣化しにくく、耐久性が向上する。
【００１３】
また、上記耐摩耗ガイド部材は軽量のガイド部材によって上記保持溝に安定的に保持されるので、従来のように耐摩耗ガイド部材を保持するためのイモネジやネジ加工を必要としない。このため、マガジンを軽量のまま特別の加工なしで使用することができ、全体としてマガジンを軽量化することができる。
【００１４】
また、構造が単純であるから、コストも低く抑えることができる。
【発明を実施するための最良の形態】
【００１５】
図１において符号１は釘打機のノーズ部を示す。このノーズ部１は釘打機本体２の下方に延設された筒状の部材で、釘打機本体２に設けられた打撃機構ａにより駆動されたドライバ３の摺動を案内するとともに、マガジン４の先端に開口してマガジン４に装填された連結釘５の先頭釘を収容するもので、ドライバ３によって打撃された先頭釘を打ち出し方向に案内するように構成されている。
【００１６】
連結釘５は多数の鉄製の釘を連結材を介してスティック状にストレートに連結して成るもので、各釘の頭部は重なり合った状態で連結されている。連結材は合成樹脂、紙等の材料によって構成されている。マガジン４内に装填された連結釘５はノーズ部１に対してやや後傾した状態になっている。
【００１７】
マガジン４はアルミニウム又はその合金製で、その内部にはプッシャ７が配置されている。プッシャ７は定出力バネ（図示せず）によって常に連結釘５を前方に押圧してノーズ部１に供給するもので、図２に示すように、板状押圧部７ａの中央後部には、プッシャ７を常時前方に移動するように付勢する定出力バネ（図示せず）を収納する箱状の収納部９を有している。押圧部７ａの上端には断面Ｔ字形のＴ形頂部６が形成され、板状押圧部７ａの下方にはガイド縁８が延長形成されている。また、押圧部７ａの前端面はマガジン４の内部に装填された連結釘５の傾斜と同じ勾配の傾斜面として形成され、かつその肉厚は連結釘５の釘軸部の直径よりも小さくなるように形成されている。
【００１８】
次に、マガジン４の中央部には図２及び図３に示されるように、連結釘５とプッシャ７とを摺動自在にガイドするガイド通路１０が長手方向に沿って形成されている。ガイド通路１０の中間部の一側壁には膨出部１１が形成され、他側壁には上記箱状収納部９が側方に露出するように開放部１２が形成されている。また、ガイド通路１０の上部には、プッシャ７のＴ形頂部６と連結釘５の釘頭部５ａを案内する上部長溝１３があり溝状に形成されている。さらに、上記箱状収納部９を収容する部分の下部には幅狭の下部長溝１４が形成されている。
【００１９】
次に、下部長溝１４の両側の長手全長に沿って断面がＣ字形で下部長溝１４内に開口する開口部を有する保持溝１５が形成されている。上記開口部の幅は連結釘５の釘軸部５ｂの直径と略同じかそれよりもやや大きい程度に設定されている。
【００２０】
上記保持溝１５の内部には丸棒状のガイド部材１６ａが、上記保持溝１５のノーズ部１側（前側）から中間部にかけてスライド嵌合されている。上記ガイド部材１６ａは、上記連結釘５及びマガジン４と同じかそれよりも高い耐摩耗性を有する鉄製等の硬質材である。中空でも中実でもよい。
【００２１】
なお、保持溝１５においてガイド部材１６ａを嵌合する範囲は、耐摩耗性を必要とする範囲で、例えば８０本の釘を装填できるマガジンであれば、前端から釘約３０〜５０本を収納する程度の範囲に嵌合するのが好ましい。
【００２２】
また、上記保持溝１５の断面形状は円弧状に限定されない。あり溝状や多角形状でもよい。したがって、ガイド部材１６ａも保持溝１５の断面に応じた形状とすればよい。もちろん、開口部から突出する部分も円弧状である必要はなく、凸状であってもよい。
【００２３】
さらに、ガイド部材１６ａの材質は、連結釘５及びマガジン４と同じかそれよりも強度や耐摩耗性が高いものであればよく、鉄に限定されない。
【００２４】
さらに、図４に示されるように、上記保持溝１５の残りの後ろ側の部分には、略同形状の棒状ガイド部材１６ｂがスライド嵌合されている。このガイド部材１６ｂは合成樹脂やアルミニウムなどの軽い材料から構成されている。
【００２５】
上記保持溝１５の前端はノーズ部１によって、また後端はキャップ等（（図示せず）によって閉じられる。
【００２６】
連結釘５とプッシャ７は釘頭部５ａとＴ形頂部６が上部長溝１３に係合して吊下げられた状態になっている。マガジン４の前端はノーズ部１に開口しているから、連結釘５の先頭釘はプッシャ７に押圧されてノーズ部１に供給され、打撃機構が作動したときにノーズ部１内の先頭釘はドライバ３に打撃されてノーズ部１から打ち出され、ドライバ３が復帰作動すると、ノーズ部１には次の先頭釘が送られる。釘送り時にはプッシャ７と連結釘５がマガジン４内を摺動する。
【００２７】
上述のように、耐摩耗性の高いガイド部材１６ａと軽量なガイド部材１６ｂとを上記保持溝１５内に連続して嵌合したので、上記両ガイド部材１６ａ、１６ｂは安定して上記保持溝１５内に保持され、ネジなどの特別な固定手段がなくても固定状態となる。ただし、両ガイド部材１６ａ、１６ｂは連続して固定されていればよく、適宜の固定手段で固定してもよい。
【００２８】
また、打ち込み時の反動による衝撃が強い前側の部分には、マガジン４や連結釘５よりも強度や耐摩耗性が高いガイド部材１６ａが配置されているので、釘送りの際の滑りがよく、接触しても傷がつきにくい。したがって、マガジン１の下部長溝１４は十分にガードされ、長期間使用しても連結釘５の送り性能が劣化しにくく、耐久性が向上する。
【００２９】
さらに、上記耐摩耗ガイド部材１６ａは軽量のガイド部材１６ｂによって上記保持溝１５に安定的に保持されるので、従来のように耐摩耗ガイド部材を保持するためのイモネジやネジ加工を必要としない。このため、マガジンを軽量のまま特別の加工なしで使用することができ、コストも低く抑えることができる。
【図面の簡単な説明】
【００３０】
【図１】釘打機のノーズ部の周辺の縦断面図である。
【図２】プッシャ部分のマガジンの断面図である。
【図３】釘部分のマガジンの断面図である。
【図４】図３のＸ−Ｘ線上の断面図である。
【符号の説明】
【００３１】
４  マガジン
５  連結釘
７  プッシャ
７ａ  板状押圧部
１６ａ、１６ｂ  ガイド部材
１２  Ｔ形頂部
１４  下部長溝
１５  保持溝
【図１】
2007044827.tif 000003
【図２】
2007044827.tif 000004
【図３】
2007044827.tif 000005
【図４】
2007044827.tif 000006